(57)【要約】【課題】誘導結合を介して通信する通信デバイスを動作させる方法及びシステムを提供する。【解決手段】一実施形態において、誘導結合を介して通信する通信デバイスを動作させる方法は、少なくとも１つのシステム又は環境パラメータに応じて通信デバイスの位相設定を調整するステップと、能動負荷変調（ＡＬＭ）を用いて、調整された位相設定でキャリア信号を変調するステップと、誘導結合用の通信デバイスから変調されたキャリア信号を送信するステップとを含む。【選択図】図１
2018023097.tif 000002
【特許請求の範囲】
【請求項１】
誘導結合を介して通信する通信デバイスを動作させる方法であって、
少なくとも１つのシステム又は環境パラメータに応じて前記通信デバイスの位相設定を調整するステップと、
能動負荷変調（ＡＬＭ）を用いて、前記調整された位相設定でキャリア信号を変調するステップと、
誘導結合用の前記通信デバイスから前記変調されたキャリア信号を送信するステップと、
を含む、方法。
【請求項２】
前記少なくとも１つのシステム又は環境パラメータは、
誘導結合の磁場強度、
誘導結合の結合状態、
前記通信デバイス又は対応するリーダのアンテナ形状、
前記通信デバイスのプロセス、電圧、及び温度（ＰＶＴ）の変動、
前記通信デバイスのシステムアーキテクチャ、
前記通信デバイスのマッチングネットワーク特性、
前記通信デバイスの通信プロトコル、
前記通信デバイスの通信データ速度、
前記通信デバイスの再送設定、
前記通信デバイスの再設定セッティング、
前記通信デバイスの通信タイミング、及び
前記通信デバイスのアプリケーション
からなるグループから選択される、請求項１に記載の方法。
【請求項３】
前記通信デバイスの前記位相設定を調整するステップは、システム又は環境パラメータのグループの機能にしたがって前記通信デバイスの前記位相設定を調整するステップを含む、請求項１に記載の方法。
【請求項４】
前記通信デバイスの前記位相設定を調整するステップは、前記通信デバイスのアナログ受信器の位相設定を調整するステップを含む、請求項１に記載の方法。
【請求項５】
前記アナログ受信器の前記位相設定を調整するステップは、前記アナログ受信器のディレイロックループ（ＤＬＬ）の一組のタップ点を選択するステップ、又は前記アナログ受信器の移相器又はチューナブルフィルタを動作させるステップを含む、請求項４に記載の方法。
【請求項６】
前記通信デバイスの前記位相設定を調整するステップは、前記通信デバイスのクロック生成回路の位相設定を調整するステップを含む、請求項１に記載の方法。
【請求項７】
前記クロック生成回路の前記位相設定を調整するステップは、前記クロック生成回路のフェーズロックループ（ＰＬＬ）の一組のタップ点を選択するステップ、又は前記クロック生成回路の移相器又は遅延線を動作させるステップを含む、請求項６に記載の方法。
【請求項８】
前記通信デバイスの前記位相設定を調整するステップは、前記通信デバイスのアナログ送信器の位相設定を調整するステップを含む、請求項１に記載の方法。
【請求項９】
前記通信デバイスの前記位相設定を調整するステップは、データフレームの送信前に前記通信デバイスの前記位相設定を調整するステップを含む、請求項１に記載の方法。
【請求項１０】
前記通信デバイスの前記位相設定を調整するステップは、データフレームの送信中に前記通信デバイスの前記位相設定を調整するステップを含む、請求項１に記載の方法。
【請求項１１】
前記通信デバイスの起動中、又は各データフレームの送信前に、前記少なくとも１つのシステム又は環境パラメータを取得するステップをさらに含む、請求項１に記載の方法。
【請求項１２】
誘導結合を介して通信する通信デバイスを動作させるためのシステムであって、
少なくとも１つのシステム又は環境パラメータに応じて前記通信デバイスの位相設定を調整するよう構成された位相設定調整モジュールと、
能動負荷変調（ＡＬＭ）を用いて、前記調整された位相設定でキャリア信号を変調するよう構成された信号変調モジュールと、
誘導結合用の前記通信デバイスから前記変調されたキャリア信号を送信するよう構成された信号送信モジュールと、
を備える、システム。
【請求項１３】
前記少なくとも１つのシステム又は環境パラメータは、
誘導結合の磁場強度、
誘導結合の結合状態、
前記通信デバイス又は対応するリーダのアンテナ形状、
前記通信デバイスのプロセス、電圧、及び温度（ＰＶＴ）の変動、
前記通信デバイスのシステムアーキテクチャ、
前記通信デバイスのマッチングネットワーク特性、
前記通信デバイスの通信プロトコル、
前記通信デバイスの通信データ速度、
前記通信デバイスの再送設定、
前記通信デバイスの再設定セッティング、
前記通信デバイスの通信タイミング、及び
前記通信デバイスのアプリケーション
からなるグループから選択される、請求項１２に記載のシステム。
【請求項１４】
前記位相設定調整モジュールは、システム又は環境パラメータのグループの機能にしたがって前記通信デバイスの前記位相設定を調整するよう、さらに構成される、請求項１２に記載のシステム。
【請求項１５】
前記位相設定調整モジュールは、ディレイロックループ（ＤＬＬ）の一組のタップ点を選択するか、移相器又はチューナブルフィルタを動作させるよう、さらに構成される、請求項１２に記載のシステム。
【請求項１６】
前記位相設定調整モジュールは、フェーズロックループ（ＰＬＬ）の一組のタップ点を選択するか、移相器又は遅延線を動作させるよう、さらに構成される、請求項１２に記載のシステム。
【請求項１７】
前記位相設定調整モジュールは、データフレームの送信前に前記通信デバイスの前記位相設定を調整するよう、さらに構成される、請求項１２に記載のシステム。
【請求項１８】
誘導結合を介して通信する通信デバイスを動作させる方法であって、
少なくとも１つのシステム又は環境パラメータに応じてキャリア信号の位相を調整するステップと、
能動負荷変調（ＡＬＭ）を用いて、前記調整された位相で前記キャリア信号を変調するステップと、
誘導結合用の前記通信デバイスから前記変調されたキャリア信号を送信するステップと、
を含む、方法。
【請求項１９】
前記少なくとも１つのシステム又は環境パラメータは、
誘導結合の磁場強度、
誘導結合の結合状態、
前記通信デバイス又は対応するリーダのアンテナ形状、
前記通信デバイスのプロセス、電圧、及び温度（ＰＶＴ）の変動、
前記通信デバイスのシステムアーキテクチャ、
前記通信デバイスのマッチングネットワーク特性、
前記通信デバイスの通信プロトコル、
前記通信デバイスの通信データ速度、
前記通信デバイスの再送設定、
前記通信デバイスの再設定セッティング、
前記通信デバイスの通信タイミング、及び
前記通信デバイスのアプリケーション
からなるグループから選択される、請求項１８に記載の方法。
【請求項２０】
前記通信デバイスの前記位相設定を調整するステップは、システム又は環境パラメータのグループの機能にしたがって前記通信デバイスの前記位相設定を調整するステップを含む、請求項１８に記載の方法。
【発明の詳細な説明】
【背景技術】
【０００１】
近距離通信（ＮＦＣ）を利用する無線周波数識別（ＲＦＩＤ）デバイスのトランスポンダは、通常、受動負荷変調（ＰＬＭ）用にも、または能動負荷変調（ＡＬＭ）用にも構成することができる。ＡＬＭは、通常、ＰＬＭより複雑であるが、トランスポンダ（例えば、モバイルデバイス）内へＡＬＭを実装するための部品はより小型化することができる。そして、トランスポンダは、単にリーダによって生成される磁場を変調するためではなく、磁場を発生させるために電源を利用するので、ＡＬＭトランスポンダはＰＬＭトランスポンダより広い通信範囲を有することができる。
【発明の概要】
【０００２】
通信デバイスを動作させる方法およびシステムの実施形態を説明する。一実施形態において、誘導結合を介して通信する通信デバイスを動作させる方法は、少なくとも１つのシステム又は環境パラメータに応じて前記通信デバイスの位相設定を調整するステップと、能動負荷変調（ＡＬＭ）を用いて、前記調整された位相設定でキャリア信号を変調するステップと、誘導結合用の前記通信デバイスから前記変調されたキャリア信号を送信するステップと、を含む。
【０００３】
一実施形態において、前記少なくとも１つのシステム又は環境パラメータは、誘導結合の磁場強度、誘導結合の結合状態、前記通信デバイス又は対応するリーダのアンテナ形状、前記通信デバイスのプロセス、電圧、及び温度（ＰＶＴ）の変動、前記通信デバイスのシステムアーキテクチャ、前記通信デバイスのマッチングネットワーク特性、前記通信デバイスの通信プロトコル、前記通信デバイスの通信データ速度、前記通信デバイスの再送設定、前記通信デバイスの再設定セッティング、前記通信デバイスの通信タイミング、及び前記通信デバイスのアプリケーションからなるグループから選択される。
【０００４】
一実施形態において、前記通信デバイスの前記位相設定を調整するステップは、システム又は環境パラメータのグループの機能にしたがって前記通信デバイスの前記位相設定を調整するステップを含む。
【０００５】
一実施形態において、前記通信デバイスの前記位相設定を調整するステップは、前記通信デバイスのアナログ受信器の位相設定を調整するステップを含む。
【０００６】
一実施形態において、前記アナログ受信器の前記位相設定を調整するステップは、前記アナログ受信器のディレイロックループ（ＤＬＬ）の一組のタップ点を選択するステップ、又は前記アナログ受信器の移相器又はチューナブルフィルタを動作させるステップを含む。
【０００７】
一実施形態において、前記通信デバイスの前記位相設定を調整するステップは、前記通信デバイスのクロック生成回路の位相設定を調整するステップを含む。
【０００８】
一実施形態において、前記クロック生成回路の前記位相設定を調整するステップは、前記クロック生成回路のフェーズロックループ（ＰＬＬ）の一組のタップ点を選択するステップ、又は前記クロック生成回路の移相器又は遅延線を動作させるステップを含む。
【０００９】
一実施形態において、前記通信デバイスの前記位相設定を調整するステップは、前記通信デバイスのアナログ送信器の位相設定を調整するステップを含む。
【００１０】
一実施形態において、前記通信デバイスの前記位相設定を調整するステップは、データフレームの送信前に前記通信デバイスの前記位相設定を調整するステップを含む。
【００１１】
一実施形態において、前記通信デバイスの前記位相設定を調整するステップは、データフレームの送信中に前記通信デバイスの前記位相設定を調整するステップを含む。
【００１２】
一実施形態において、前記通信デバイスの起動中、又は各データフレームの送信前に、前記少なくとも１つのシステム又は環境パラメータを取得するステップをさらに含む。
【００１３】
一実施形態において、誘導結合を介して通信する通信デバイスを動作させるためのシステムは、少なくとも１つのシステム又は環境パラメータに応じて前記通信デバイスの位相設定を調整するよう構成された位相設定調整モジュールと、能動負荷変調（ＡＬＭ）を用いて、前記調整された位相設定でキャリア信号を変調するよう構成された信号変調モジュールと、誘導結合用の前記通信デバイスから前記変調されたキャリア信号を送信するよう構成された信号送信モジュールと、を備える。
【００１４】
一実施形態において、前記少なくとも１つのシステム又は環境パラメータは、誘導結合の磁場強度、誘導結合の結合状態、前記通信デバイス又は対応するリーダのアンテナ形状、前記通信デバイスのプロセス、電圧、及び温度（ＰＶＴ）の変動、前記通信デバイスのシステムアーキテクチャ、前記通信デバイスのマッチングネットワーク特性、前記通信デバイスの通信プロトコル、前記通信デバイスの通信データ速度、前記通信デバイスの再送設定、前記通信デバイスの再設定セッティング、前記通信デバイスの通信タイミング、及び前記通信デバイスのアプリケーションからなるグループから選択される。
【００１５】
一実施形態において、前記位相設定調整モジュールは、システム又は環境パラメータのグループの機能にしたがって前記通信デバイスの前記位相設定を調整するよう、さらに構成される、請求項１２に記載のシステム。
【００１６】
一実施形態において、前記位相設定調整モジュールは、ディレイロックループ（ＤＬＬ）の一組のタップ点を選択するか、移相器又はチューナブルフィルタを動作させるよう、さらに構成される。
【００１７】
一実施形態において、前記位相設定調整モジュールは、フェーズロックループ（ＰＬＬ）の一組のタップ点を選択するか、移相器又は遅延線を動作させるよう、さらに構成される、さらに構成される。
【００１８】
一実施形態において、前記位相設定調整モジュールは、データフレームの送信前に前記通信デバイスの前記位相設定を調整するよう、さらに構成される。
【００１９】
一実施形態において、誘導結合を介して通信する通信デバイスを動作させる方法は、少なくとも１つのシステム又は環境パラメータに応じてキャリア信号の位相を調整するステップと、能動負荷変調（ＡＬＭ）を用いて、前記調整された位相で前記キャリア信号を変調するステップと、誘導結合用の前記通信デバイスから前記変調されたキャリア信号を送信するステップと、を含む。
【００２０】
一実施形態において、前記少なくとも１つのシステム又は環境パラメータは、誘導結合の磁場強度、誘導結合の結合状態、前記通信デバイス又は対応するリーダのアンテナ形状、前記通信デバイスのプロセス、電圧、及び温度（ＰＶＴ）の変動、前記通信デバイスのシステムアーキテクチャ、前記通信デバイスのマッチングネットワーク特性、前記通信デバイスの通信プロトコル、前記通信デバイスの通信データ速度、前記通信デバイスの再送設定、前記通信デバイスの再設定セッティング、前記通信デバイスの通信タイミング、及び前記通信デバイスのアプリケーションからなるグループから選択される。
【００２１】
一実施形態において、前記通信デバイスの前記位相設定を調整するステップは、システム又は環境パラメータのグループの機能にしたがって前記通信デバイスの前記位相設定を調整するステップを含む。
【００２２】
本発明の他の態様及び利点は、添付の図面と併せて以降の詳細な説明から明らかになるであろう。
【図面の簡単な説明】
【００２３】
【図１】本発明の一実施形態による通信デバイスの機能ブロック図である。
【図２】図１に示された通信デバイスの、異なる誘導結合状態のもとでの負荷変調振幅に対する位相設定の一例を示す図である。
【図３】誘導結合通信システムを形成するために対応するリーダとともに用いることができる、図１に示す通信デバイスの一実施形態を示す図である。
【図４】本発明の一実施形態による、誘導結合を介して通信する通信デバイスを動作させる方法のプロセスフロー図である。
【図５】本発明の他の実施形態による、誘導結合を介して通信する通信デバイスを動作させる方法のプロセスフロー図である。
【発明を実施するための形態】
【００２４】
以下の説明を通して、同様の参照番号は、同様の要素を識別するために用いられる。
【００２５】
本明細書で記載され、又は添付の図面内に示された本実施形態の構成要素は、通常、広く様々な異なる構成で配置し、設計することができると容易に理解されるだろう。このため、以降における様々な実施形態のより詳細な説明は、図面に示されるように、本開示の範囲を限定することを意図せず、単に、様々な実施形態の代表である。本実施形態の様々な態様が図面に示されるが、特に示されない限り、図面は必ずしも縮尺で描かれていない。
【００２６】
本発明は、発明の趣旨又は不可欠な特徴から逸脱せずに、他の特定の形態において具体化することができる。記載された実施形態は、全ての観点において例示としてのみ考慮されるべきであり、限定的でない。本発明の範囲は、そのため、この詳細な説明によってではなく、添付された請求項によって示される。請求項と同等の意味及び範囲内で行われる任意の変更は発明の範囲内に擁するべきである。
【００２７】
本明細書を通して、特徴、利点、又は類似の用語を言及することは、本発明で実現することのできる特徴及び利点が、本発明のいずれかの単一の実施形態にあるべきこと、又はあることを意味しない。正確には、特徴及び利点を述べる用語は、実施形態に関連して記載される特別な特徴、利点、又は特性は、少なくとも本発明の一実施形態に含まれることを意味すると理解される。そのため、実施形態に関連する特徴、利点、及び類似の用語についての議論は、本明細書を通して、同一の実施形態を参照することができるが、この限りではない。
【００２８】
さらに、本発明の、記載された特徴、利点、及び特性は、１つ以上の実施形態において任意の適した方法で結合することができる。当業者であれば、ここでの記載に照らして、本発明は、特定の実施形態における１つ以上の特徴又は利点を有さずに実行することができることを理解するであろう。他の例では、ある実施形態において、本発明の全ての実施形態にはない追加の特徴又は利点を認識することができる。
【００２９】
本明細書を通して、「ある実施形態」、「一実施形態」、又は類似の用語の参照は、示された実施形態に関連して記載される特定の特徴、構造、又は特性が、少なくとも本発明のある実施形態に含まれることを意味する。そのため、「ある実施形態において」、「一実施形態において」、又は類似の用語は、この明細書を通して、全て同じ実施形態を指すことができるが、この限りではない。
【００３０】
図１は、本発明の一実施形態による通信デバイス１００の機能ブロック図である。図１に示す本実施形態において、通信デバイスは、誘導結合を介して通信する。通信デバイスは、位相設定調整モジュール１０２、信号変調モジュール１０４、及び信号送信モジュール１０６を含むことができる。通信デバイスは、集積回路（ＩＣ）デバイスとすることができる。いくつかの実施形態において、通信デバイスは、携帯電話のような、ハンドヘルドのコンピューティングシステム又はモバイルコンピューティングシステム内に実装される。通信デバイスは、通信するために誘導結合を利用する近距離通信（ＮＦＣ）デバイスとすることができる。いくつかの実施形態において、通信デバイスは、国際標準化機構（ＩＳＯ）／国際電気標準会議（ＩＥＣ）１４４４３規格に適合するＲＦトランスポンダとして実装することができる。例示した通信デバイスは、特定の構成要素とともに示され、本明細書では特定の機能で説明されているが、通信デバイスの他の実施形態は、同じか、より少ないか、あるいはより多くの機能を実装するために、より少ないか、あるいはより多い構成要素を含むことができる。
【００３１】
図１に示す実施形態において、位相設定調整モジュール１０２は、少なくとも１つのシステム又は環境パラメータに応じて、通信デバイスの位相設定を調整するよう構成される。通信デバイスの位相設定は、通信デバイスの入力／出力位相の挙動を反映することができる。例えば、通信デバイスの位相設定は、受信信号位相と送信キャリア位相との間の相対的な位相セッティングとすることができる。異なるリーダ（例えば、異なる製造業者のリーダ、異なるモデルのリーダ、異なる型式のリーダ）は、異なるアンテナ、異なるマッチングネットワーク、及び通信デバイスに対して異なる相対位置を有することができ、リーダは、通信デバイスとリーダとの間のチャネル、ひいてはチャネル位相に影響を及ぼす可能性がある。良好な信号雑音比（ＳＮＲ）で位相セッティングを達成するよう、１つ以上のシステム又は環境パラメータに基づいて位相設定を調整することによって、異なるリーダ及び異なる誘導結合位置にわたってロバストな通信を提供することができる。
【００３２】
位相設定調整モジュール１０２によって用いられるシステム又は環境パラメータの例を挙げると、限定されるものではないが、誘導結合の磁場強度、誘導結合の結合状態、通信デバイス又は対応するリーダのアンテナ形状、通信デバイスの１つ以上の構成要素のプロセス、電圧、及び温度（ＰＶＴ）の変動、通信デバイスのシステムアーキテクチャ、通信デバイスのマッチングネットワーク特性、通信デバイスの通信プロトコル、通信デバイスの通信データ速度、通信デバイスの再送設定、通信デバイスの再設定のセッティング、通信デバイスの通信タイミング、及び通信デバイスのアプリケーションがある。システム又は環境パラメータは、上に挙げたシステム又は環境パラメータの２つ以上の組合せを含むことができる。いくつかの実施形態において、位相設定調整モジュールは、システム又は環境パラメータのグループの機能にしたがってキャリア信号の位相を調整するよう、さらに構成される。
【００３３】
位相設定調整モジュール１０２は、データフレームの送信前に通信デバイス１００の送信キャリア位相設定を調整するか、あるいは、データフレームの送信中に、通信デバイスの送信キャリア位相設定を静的に、動的に、又は「オンザフライ」で、調整するよう構成することができる。いくつかの実施形態において、位相設定調整モジュールは、製造中又は製造後であって消費者／エンドユーザに配布される前に、通信デバイスの送信キャリア位相設定を調整するよう構成される。いくつかの実施形態において、少なくとも１つのシステム又は環境パラメータは、通信デバイスの起動中、又は各データフレームの送信前に取得される。
【００３４】
図１に示す実施形態において、信号変調モジュール１０４は、ＡＬＭを用いて、調整された位相設定でキャリア信号を変調するよう構成される。信号送信モジュールは、クロック再生回路及びアナログ送信器を含むことができる。
【００３５】
図１に示す実施形態において、信号送信モジュール１０６は、誘導結合用の通信デバイスから変調されたキャリア信号を送信するよう構成される。信号送信モジュールは、ループアンテナのような誘導型アンテナを含むことができる。
【００３６】
いくつかの実施形態において、通信デバイス１００は、能動負荷変調（ＡＬＭ）デバイスである。このような実施形態では、信号送信モジュールは、電流源を用いて発信ＲＦ信号を送信するための、該信号送信モジュール自体の磁場を生成するよう構成することができ、その結果、受動負荷変調（ＰＬＭ）システムと比べて通信距離が長くなる。通信デバイス及び対応するリーダがいずれも磁場を生成する場合、通信デバイスと対応するリーダとの間の誘導結合は、１つ以上のシステム又は環境パラメータに影響され得る。したがって、磁場は、１つ以上のシステム又は環境パラメータのためにずれることがある。磁場のずれによって、変調の振幅部分における信号強度が低下することがあり、通信パフォーマンスが低くなる（例えば、ＳＮ比が低くなる）。通常、ＡＬＭデバイス及びリーダの磁場がずれることなく、互いに干渉させる（例えば、送信中に一定の位相を維持する）ために、エラー耐性が非常に低い構成部品がトランスポンダに用いられる。しかし、エラー耐性が低い構成部品はコストがかかる可能性がある。図１に示す実施形態では、例えば、通信デバイスと対応するリーダとの間の磁場のずれを減少させるために、少なくとも１つのシステム又は環境パラメータに応じて通信デバイスの位相設定を調整する。通信デバイスの位相設定は、少なくとも１つのシステム又は環境パラメータに応じて調整されるため、送信中に所望の位相配列をそのまま維持しながら、より高いエラー耐性の構成部品をＲＦＩＤに用いることができる。加えて、量産デバイスの高価な共振チューニングを減らしたり、回避することさえできる。さらに、特定のタイプのリーダ（例えば、エンベロープ検出に基づくリーダデバイス）の通信安定性におけるロバスト性を改善することができる。さらに、様々な製品、システム、プロトコル、およびアプリケーションの条件にわたってより一貫したパフォーマンスを提供することによってユーザエクスペリエンスを高めることができる。さらに、ＰＶＴに起因するＩＣ挙動の変動を補償することができる。
【００３７】
図２は、図１に示す通信デバイス１００の、異なる誘導結合状態のもとでの負荷変調振幅に対する位相設定の例を示す線図である。負荷変調振幅は、通信デバイスの出力信号振幅とすることができる。図２の線図において、通信デバイス１００の位相設定は、受信信号位相とキャリア位相との間の度での相対的な位相セッティングであり、負荷変調振幅はミリボルト（ｍＶ）で示される。図２に示すように、４つの曲線２１０，２２０，２３０，２４０は、４つの異なる誘導結合状態を表している。各誘導結合状態で、負荷変調振幅は、最初は、相対的な位相セッティングの増加とともに、（例えば、正の負荷変調振幅を表す）第１のピークまで増加し、続いて、位相の増加とともに最低点まで低下し、そして、位相の増加とともに（例えば、負の変調振幅の絶対値を表す）第２のピークまで増加し、続いて、位相の増加とともに低下する。しかし、負荷変調振幅のピークは、異なる誘導結合状態では、異なる位相で発生する。位相を静的又は動的に調整することによって、負荷変調振幅は修正され、各誘導結合状態及び環境パラメータにわたってリーダデバイスでの高い信号雑音比（ＳＮＲ）及び／又はダイナミックレンジを達成することができる。
【００３８】
図３は、誘導結合通信システム３５０を形成するために対応するリーダ３３０とともに用いることができる、図１に示す通信デバイス１００の一実施形態を示す。対応するリーダは、専用のリーダデバイス又はリーダモードの通信デバイスであってよい。図３に示す実施形態において、通信デバイス３００は、位相設定調整モジュール３０２、アンテナ３１２に結合されるマッチングネットワーク３１０、アナログ受信器「ＲＸ」３１４、クロック生成回路３１６、及びアナログ送信器「ＴＸ」３１８を含む。アンテナは、ループアンテナのような誘導型アンテナとすることができる。クロック生成回路は、受信クロックと同期し、したがって、リーダによって送出されたキャリアに同期するクロックを生成する。通信デバイスの動作例において、ＲＦ信号は、対応するリーダのアンテナ３３２から誘導結合を介してアンテナによって受信され、ＲＦ信号をデジタル信号に変換するためにアナログ受信器に送られる。ＲＦ信号からクロック生成回路によって信号が生成され、この信号は、アナログ送信器で発信ＲＦ信号を生成するために用いられ、発信ＲＦ信号は、アンテナを用いて誘導結合を介して送信される。図３に示す通信デバイス３００は、図１に示す通信デバイス１００の１つの可能な実施形態である。しかし、図１に示す通信デバイスは、図３に示す実施形態に限定されない。
【００３９】
いくつかの実施形態において、通信デバイス３００は、能動負荷変調（ＡＬＭ）デバイスである。これらの実施形態では、アンテナは、電流源を用いて発信ＲＦ信号を送信するための自己磁場を生成するよう構成することができ、このためＰＬＭデバイスより長い通信距離とすることができる。図３に示す実施形態において、通信デバイスの位相設定は、少なくとも１つのシステム又は環境パラメータに応じて調整される。通信デバイスの位相設定は、少なくとも１つのシステム又は環境パラメータに応じて調整されるため、送信中に所望の位相配列をそのまま維持しながら、より高いエラー耐性の構成部品をＲＦＩＤデバイスに用いることができる。通信デバイスから捕捉されるＲＦ信号の振幅は十分なＳＮＲ及びダイナミックレンジを有するため、対応するリーダは信号を復調することができる。
【００４０】
位相設定調整モジュール３０２は、通信デバイスの様々な構成部品における位相設定を調整することができる。位相設定調整モジュールは、通信デバイスの様々な構成部品における位相設定を、静的に、動的に、又はオンザフライで調整することができる。位相設定調整モジュールは、通信デバイスの様々な構成部品における位相設定を、製造時、及び消費者／エンドユーザに配布する前に調整することもできる。図３に示す実施形態において、位相設定調整モジュールは、アナログ受信器「ＲＸ」３１４、クロック生成回路３１６、及び／又はアナログ送信器「ＴＸ」３１８の位相設定を調整することができる。例示した位相設定調整モジュールは、アナログ受信器、クロック生成回路、及びアナログ送信器とは別個に示されているが、いくつかの実施形態では、位相設定調整モジュール又はその一部は、アナログ受信器、クロック生成回路、及び／又はアナログ送信器内に実装される。
【００４１】
いくつかの実施形態において、位相設定調整モジュール３０２は、アナログ受信器「ＲＸ」３１４の位相設定を調整する。一実施形態では、位相設定調整モジュールは、特定の位相遅れを選択するようタップポイントが（例えば、リカバリクロック信号に基づくマルチプレクサを介して）選択され得るディレイロックループ（ＤＬＬ）として、アナログ受信器内に実装される。他の実施形態では、位相設定調整モジュールは、専用の移相器としてアナログ受信器内に実装される。さらに他の実施形態では、位相設定調整モジュールは、チューナブルフィルタ（例えば、バンドパスフィルタ）としてアナログ受信器内に実装される。
【００４２】
いくつかの実施形態において、位相設定調整モジュール３０２は、クロック生成回路３１６の位相設定を調整する。一実施形態では、位相設定調整モジュールは、特定の位相遅れを選択するようタップポイントが調整され得るディレイロックループ（ＤＬＬ）として、クロック生成回路内に実装される。他の実施形態では、位相設定調整モジュールは、所望の位相セッティングに同調させることができるインテジャーフェーズロックループ（ＰＬＬ）又はフラクショナルＰＬＬとともに用いられる、分周器段としてクロック生成回路内に実装される。さらに他の実施形態では、位相設定調整モジュールは、専用の移相器としてクロック生成回路内に実装される。さらに他の実施形態では、位相設定調整モジュールは、クロック遅延線として（例えば、バッファとして）クロック生成回路内に実装される。
【００４３】
いくつかの実施形態において、位相設定調整モジュール３０２は、アナログ送信器「ＴＸ」３１８の位相設定を調整する。一実施形態では、位相設定調整モジュールは、送信すべき信号を変換することができるインバータとしてアナログ送信器内に実装される。他の実施形態では、位相設定調整モジュールは、クロックパスにおける遅延素子としてアナログ送信器内に実装される。さらに他の実施形態では、位相設定調整モジュールは、スルーレート（slew rate）制御デバイスとしてアナログ送信器内に実装される。
【００４４】
図４は、本発明の一実施形態による、誘導結合を介して通信する通信デバイスを動作させる方法のプロセスフロー図である。ブロック４０２では、少なくとも１つのシステム又は環境パラメータに応じて通信デバイスの位相設定を調整する。ブロック４０４では、ＡＬＭを用いて、調整された位相設定でキャリア信号を変調する。ブロック４０６では、誘導結合用の通信デバイスから、変調されたキャリア信号を送信する。通信デバイスは、図１に示す通信デバイス１００及び／又は図２に示す通信デバイス２００と同一であっても類似したものであってもよい。
【００４５】
図５は、本発明の他の実施形態による、誘導結合を介して通信する通信デバイスを動作させる方法のプロセスフロー図である。ブロック５０２では、少なくとも１つのシステム又は環境パラメータに応じて、キャリア信号の位相を調整する。ブロック５０４では、ＡＬＭを用いて、調整された位相でキャリア信号を変調する。ブロック５０６では、誘導結合用の通信デバイスから、変調されたキャリア信号を送信する。通信デバイスは、図１に示す通信デバイス１００及び／又は図２に示す通信デバイス２００と同一であっても類似したものであってもよい。
【００４６】
本明細書の方法の動作は特定の順序で示され、記載されているが、各方法の動作の順番は、ある動作が逆の順番で行われるように、あるいは、ある動作が少なくとも部分的に他の動作と同時に行われるように変更することができる。他の実施形態において、個々の動作の命令又はサブ動作は、断続的、及び／又は交互に実施することができる。
【００４７】
本方法の少なくともいくつかの動作は、コンピュータで実行されるために、コンピュータで使用可能な記憶媒体に記憶されたソフトウェアの指示を用いて実装することができることにも留意されたい。一例として、コンピュータプログラム製品の実施形態は、コンピュータで読取り可能なプログラムを記憶するコンピュータで使用可能な記憶媒体を含み、コンピュータ読取り可能プログラムは、コンピュータで実行されるとコンピュータに本明細書に記載されたような動作を行わせる。
【００４８】
コンピュータで使用可能な、又はコンピュータで読取り可能な媒体は、電子、磁気、光学、電磁気、赤外、又は半導体のシステム（又は装置、又はデバイス）、あるいは、伝播媒体とすることができる。コンピュータ読取り可能媒体の例は、半導体、又は固体メモリ、磁気テープ、リムーバブルコンピュータディスケット、ランダムアクセスメモリ（ＲＡＭ）、リードオンリーメモリ（ＲＯＭ）、リジッド磁気ディスク、及び光ディスクを含む。光ディスクの現在の例は、リードオンリーメモリを有するコンパクトディスク（ＣＤ−ＲＯＭ）、読み／書きコンパクトディスク（ＣＤ−Ｒ／Ｗ）、デジタルビデオディスク（ＤＶＤ）、及びブルーレイディスクを含む。
【００４９】
上記において、様々な実施形態の特定の詳細が提供される。しかし、いくつかの実施形態は、これらの特定の詳細の全てより少なく実行することができる。他の例では、一定の方法、手続、構成部品、構造、及び／又は機能は、簡潔で明確にするために、本発明の様々な実施形態を可能にするほど詳細には記載されていない。
【００５０】
本発明の特定の実施形態が記載され、示されてきたが、本発明は、記載され示された部分の特定の形状及び配置に限定されない。本発明の範囲は、ここに添付された請求項及びその均等物で定義されるべきである。
【符号の説明】
【００５１】
１００  通信デバイス
１０２  位相設定調整モジュール
１０４  信号変調モジュール
１０６  信号送信モジュール
３０２  位相設定調整モジュール
３１０  マッチングネットワーク
３１２  アンテナ
３１４  アナログ受信器「ＲＸ」
３１６  クロック生成回路
３１８  アナログ送信器「ＴＸ」
３３０  リーダデバイス
３３２  アンテナ
【図１】
2018023097.tif 000003
【図２】
2018023097.tif 000004
【図３】
2018023097.tif 000005
【図４】
2018023097.tif 000006
【図５】
2018023097.tif 000007
【外国語明細書】
2018023097000001.pdf